(57)【要約】    【課題】  落下等による衝撃力、或は捩り、曲げ等の外力が作用した場合にも筐体の収納物に衝撃力、外力が伝達されない様にし、又ケースの形状を簡潔にして製作費の低減を図る。    【解決手段】  配線基板２２，２４、シールドケース２３等を一体化した収納物２１と、該収納物を収納する筐体１９を具備し、前記収納物から係合子２６を突出させ、該係合子を介して前記収納物を前記筐体に支持させた。    【選択図】          図１
2006303064.tif 000002
【特許請求の範囲】
【請求項１】
配線基板、シールドケース等を一体化した収納物と、該収納物を収納する筐体を具備し、前記収納物から係合子を突出させ、該係合子を介して前記収納物を前記筐体に支持させたことを特徴とする電子機器の筐体構造。
【発明の詳細な説明】
【技術分野】
【０００１】
本発明は、携帯用電子機器等の電子機器の筐体構造、特に落下、圧力等外力が作用した場合に、内部収納物に外力の影響が及さない様にした携帯用の電子機器の筐体構造に関するものである。
【背景技術】
【０００２】
図８に於いて、従来の電子機器の筐体構造について説明する。
【０００３】
図中、１は合成樹脂製の下ケース、２は合成樹脂製の上ケースを示し、前記下ケース１と前記上ケース２とにより筐体３が構成され、該筐体３内に収納物４が収納される。該収納物４は、例えば電子部品５が実装された下配線基板６、シールドケース７、電子部品８が実装された上配線基板９から構成され、前記下配線基板６の周辺所要箇所には凹部１１が形成され、該凹部１１は前記下ケース１の側壁１ａに形成された突部１２に嵌合可能となっている。
【０００４】
前記筐体３と前記収納物４との組立は、前記凹部１１と前記突部１２とを嵌合させ前記下配線基板６を前記下ケース１に収納させ、更に前記下配線基板６上に前記シールドケース７、前記上配線基板９を順次載置し、前記下配線基板６、前記シールドケース７、前記上配線基板９を貫通する螺子１３により前記下配線基板６、前記シールドケース７、前記上配線基板９を前記下ケース１に共締し、更に前記上ケース２を前記下ケース１に螺子等所要の手段により取付けていた。
【０００５】
携帯用の電子機器では、携帯されて使用されることから、使用時の落下の危険性を伴い、或は携帯中に外力が作用する状態が発生する。
【０００６】
上記した従来の電子機器の筐体構造では、前記収納物４が前記下ケース１に前記螺子１３により固着されている為、電子機器を落下した場合、前記筐体３が受ける衝撃は螺子による固定部を介して直接前記下配線基板６、前記上配線基板９に伝わり、電子部品を損傷させる虞れがある。又、前記筐体３に捩り、曲げ等の外部圧力が加わった場合は、前記固定部を介して前記収納物４に捩り力、曲げ力が作用して前記下配線基板６、前記上配線基板９を変形させ、電子部品を損傷させる虞れがある。
【０００７】
又、前記下ケース１等ケースの製作に於いて、前記下配線基板６を前記突部１２により位置決めする構成であり、ケース側に該突起１２を形成する為ケース成形の金型が複雑になり金型製作費が高くなる等の問題があった。
【０００８】
尚、ケース側から配線基板に外力が作用することを軽減する構造としては特許文献１に示されるものがある。
【０００９】
【特許文献１】特開平１１−２９８１６９号公報
【発明の開示】
【発明が解決しようとする課題】
【００１０】
本発明は斯かる実情に鑑み、落下等による衝撃力、或は捩り、曲げ等の外力が作用した場合にも筐体の収納物に衝撃力、外力が伝達されない様にし、又ケースの形状を簡潔にして製作費の低減を図るものである。
【課題を解決するための手段】
【００１１】
本発明は、配線基板、シールドケース等を一体化した収納物と、該収納物を収納する筐体を具備し、前記収納物から係合子を突出させ、該係合子を介して前記収納物を前記筐体に支持させた電子機器の筐体構造に係るものである。
【発明の効果】
【００１２】
本発明によれば、配線基板、シールドケース等を一体化した収納物と、該収納物を収納する筐体を具備し、前記収納物から係合子を突出させ、該係合子を介して前記収納物を前記筐体に支持させたので、筐体に衝撃力、外力が作用した場合に衝撃力、外力の伝達は前記係合子によって軽減され、収納物の破損、損傷が防止される等の優れた効果を発揮する。
【発明を実施するための最良の形態】
【００１３】
以下、図面を参照しつつ本発明を実施する為の最良の形態を説明する。
【００１４】
下ケース１５の側壁の上端部には段差１６が形成され、上ケース１７の周縁下面には突条１８が形成され、該突条１８が前記段差１６に嵌合することで、前記下ケース１５と前記上ケース１７との位置決めがなされ、螺子等の所要の固定手段により前記下ケース１５と前記上ケース１７とが筐体１９として一体化する様になっている。
【００１５】
該筐体１９の内部には収納物２１が収納され、該収納物２１は、下配線基板２２、シールドケース２３、上配線基板２４によるユニットとなっており、前記下配線基板２２、前記シールドケース２３、前記上配線基板２４が重ねられた状態でバネ性を有する金属製、或は合成樹脂製のクリップ２５により所要箇所が固定されたものである。
【００１６】
又、前記下配線基板２２、前記シールドケース２３、前記上配線基板２４は所要箇所に螺子（図示せず）を貫通させ、螺子止めしてもよく、或は図４で示される様に、合成樹脂、金属製のリベット３０によりカシメてもよい。
【００１７】
前記シールドケース２３の側面の所要箇所（図では片面３箇所）には係合子２６が突設され、前記下ケース１５の前記段差１６には前記係合子２６が嵌合可能な凹部２７が形成されている。前記係合子２６は、弾性の高い金属製のバネ材等、或は硬質の合成樹脂等であり、前記シールドケース２３を弾性的に支持する。前記係合子２６の前記シールドケース２３への取付け方法としては、前記係合子２６を前記シールドケース２３に圧入、インサート成形が挙げられる。又、前記係合子２６は板材、線材のいずれであってもよい。
【００１８】
前記収納物２１は前記係合子２６が前記凹部２７に嵌合した状態で、前記下ケース１５に収納させる。前記収納物２１は、前記係合子２６を介して前記段差１６に支持される。前記上ケース１７の前記突条１８を前記段差１６に嵌合させることで、前記係合子２６は前記段差１６と前記突条１８により挾持され、前記係合子２６は前記凹部２７に嵌合しているので前記係合子２６の動きは拘束される。
【００１９】
前記下ケース１５と前記上ケース１７とを螺子等所要の固定手段により固定することで、前記収納物２１を収納した状態で前記下ケース１５と前記上ケース１７とが一体化する。
【００２０】
前記収納物２１は前記筐体１９の内部で、前記係合子２６を介して前記筐体１９内に支持されており、前記収納物２１は前記筐体１９に対して浮いた状態となっており、外力は前記係合子２６を介してのみ前記収納物２１に伝達される。従って、前記電子機器の筐体構造を落した場合、鞄等に収納して携帯していた場合等で衝撃、曲げ力等外力が電子機器に作用した場合も、力の伝達経路である前記係合子２６が変形することで、前記収納物２１には外力が伝達されず、或は大幅に軽減される。
【００２１】
尚、大きな衝撃が作用することを考慮して、前記収納物２１の下面、或は前記下ケース１５の底面にフォーム材、或はスポンジゴム等の緩衝材２８を貼設し、大きな衝撃があった場合に該緩衝材２８により衝撃力を緩和して、前記係合子２６に作用する外力を軽減してもよい。尚、緩衝材２８を電子部品の振動防止の為に設けてもよい。尚、前記係合子２６は前記シールドケース２３に限らず、前記収納物２１を構成する部品のいずれかに設けてもよい。
【００２２】
図６、図７は第２の実施の形態を示しており、該第２の実施の形態では、前記係合子２６の先端部２６ａを鉤形状に下側に折曲げたものである。又、前記下ケース１５の前記段差１６は前記先端部２６ａが嵌入する係合孔２９が穿設されている。尚、下配線基板２２、シールドケース２３、上配線基板２４を一体化する方法等は、第１の実施の形態と同様である。
【００２３】
前記収納物２１の組立ては前記下ケース１５に収納させる。収納させる際に、前記先端部２６ａを前記係合孔２９に嵌入し、前記係合子２６を介して前記段差１６に前記収納物２１を支持させる。前記先端部２６ａを前記係合孔２９に挿入するだけであるので、前記下ケース１５に対する前記収納物２１の位置決めは簡単に行われる。次に、前記下ケース１５と前記上ケース１７とを組立てる。前記下ケース１５と前記上ケース１７とを組立てた状態では、前記係合子２６が前記段差１６と前記突条１８との間に挾持され、前記収納物２１が前記筐体１９に対して浮いた状態となっているのは第１の実施の形態と同様である。
【図面の簡単な説明】
【００２４】
【図１】本発明の第１の実施の形態を示す断面図である。
【図２】本発明の第１の実施の形態に於ける下ケースの斜視図である。
【図３】本発明の第１の実施の形態に於いて一体化した収納物を示す斜視図である。
【図４】収納物を一体化する他の方法を示す部分断面図である。
【図５】収納物を支持する係合子を示す断面図である。
【図６】本発明の第２の実施の形態を示す要部断面図である。
【図７】本発明の第２の実施の形態に於ける下ケースの斜視図である。
【図８】従来の電子機器の筐体構造を示す断面図である。
【符号の説明】
【００２５】
１５            下ケース
１６            段差
１７            上ケース
２１            収納物
２６            係合子
２７            凹部
２８            緩衝材
２９            係合孔
【図１】
2006303064.tif 000003
【図２】
2006303064.tif 000004
【図３】
2006303064.tif 000005
【図４】
2006303064.tif 000006
【図５】
2006303064.tif 000007
【図６】
2006303064.tif 000008
【図７】
2006303064.tif 000009
【図８】
2006303064.tif 000010